(57)【要約】  【課題】  螺線状ケーブルハンガーの螺旋方向が左右いずれの場合でも、該ケーブルハンガーを確実に支持することができる、螺旋状ケーブルハンガーの支持線固定金具を提供する。  【解決手段】  ボルト４とナット５で締め付けて支持線Ｃａを下端部で挟持させて該支持線Ｃａに取付ける一対の挟持片１，２を備え、該一方の挟持片２の横方向の中間部に、螺旋状ケーブルハンガーｈの端部を、前記他方の挟持片１の左、右両端縁のいずれかと選択的に交差させて挿通する挿通切欠１３を設ける。該挿通切欠１３の縁部に該端部を押し付ける締付け片３を前記一方の挟持片２の外側に重ね合わせて前記ボルト４とナット５で締め付ける。【選択図】    図１
2010104197.tif 000002
【特許請求の範囲】
【請求項１】
ボルトとナットで締め付けて支持線を下端部で挟持させて該支持線に取付ける一対の挟持片を備え、該一方の挟持片の横方向の中間部に、螺旋状ケーブルハンガーの端部を、前記他方の挟持片の左、右両端縁のいずれかと選択的に交差させて挿通する挿通切欠を設け、該挿通切欠の縁部に該端部を押し付ける締付け片を前記一方の挟持片の外側に重ね合わせて前記ボルトとナットで締め付けた、螺旋状ケーブルハンガーの支持線固定金具。
【発明の詳細な説明】
【技術分野】
【０００１】
本発明は、ケーブルを支持するために電柱間に架設した支持線（所謂メッセンジャーワイヤーや自己支持型ケーブル）に巻き付けた螺旋状ケーブルハンガー（螺旋状態様の杆体で成る）の安定的な架設状態の維持を目的として、概し、その端部を前記支持線に固定するために用いる螺旋状ケーブルハンガーの支持線固定金具に関するものである。
【背景技術】
【０００２】
ボルトとナットで締め付けて支持線を下端部で挟持させて該支持線に取り付ける一対の挟持片と、一方の該挟持片の外側に前記ボルトを貫通させて該一方の挟持片とで螺旋状ケーブルハンガーを挟持する締付け片を備え、締付け片の上端に、該締付け片と一方の挟持片との間に介在させる螺旋状ケーブルハンガーを係合させる切欠を設けた構造のものがある（例えば、特許文献１）。
【０００３】
【特許文献１】特開２００７−３３００４２号公報
【発明の開示】
【発明が解決しようとする課題】
【０００４】
前記従来構造のものは、螺旋ケーブルハンガーを締付け片の切欠を通じて一方の挟持片と締付け片との間に介在させるようにしてナットを締め付けることにより前記両片でハンガーを挟持させるものであるが、切欠に対する螺旋状ケーブルの挿通方向が一定であるので、螺旋状ケーブルハンガーの螺旋形の螺旋方向（概し、左回り）が異なるときは適用できず、該螺旋方向に適合した別種のものを準備しなければならない。
【０００５】
本発明は、螺旋方向が左右いずれの場合でも適用でき、きわめて実用価値の高い、螺旋状ケーブルハンガーの支持線固定具を提供することを目的とするものである。
【課題を解決するための手段】
【０００６】
ボルトとナットで締め付けて支持線を下端部で挟持させて該支持線に取付ける一対の挟持片を備え、該一方の挟持片の横方向の中間部に、螺旋状ケーブルハンガーの端部を、前記他方の挟持片の左、右両端縁のいずれかと選択的に交差させて挿通する挿通切欠を設け、該挿通切欠の縁部に該端部を押し付ける締付け片を前記一方の挟持片の外側に重ね合わせて前記ボルトとナットで締め付けた、構成としたものである。
【発明の効果】
【０００７】
本発明によれば、一対の挟持片によって支持線を挟持させて該支持線に取付けるものであるから、自己支持型ケーブルを構成する支持線に対しても不都合なく取付けられることは勿論、螺旋状ケーブルハンガーの螺旋方向が左右いずれの場合でも適用でき、実用的である。
【実施例】
【０００８】
図面は、本発明に係る螺旋状ケーブルハンガーの支持線固定金具の一実施例を示し、図１は各部材を組合わせた状態の斜視図、図２は使用状態を示す正面図、図３は図２の一部拡大図、図４は図２の平面図、図５は図４の一部拡大図、図６は図３の側面図、図７は他の螺旋状ケーブルハンガーに用いた状態の側面図である。
【０００９】
本発明に係る、螺旋状ケーブルハンガーの支持線固定金具Ａは、第一、第二一対の挟持片１，２と締付け片３をボルト４とこれに螺合するナット５によって締め付けて支持線Ｃａを挟持させるようにして該支持線Ｃａに取付ける一方、螺旋状ケーブルハンガーｈを前記第二挟持片２と締付け片３とで挟持させるようにして前記スパイラルハンガーｈ（概し、末端部）を前記支持線Ｃａに固定するために用いるものである。
【００１０】
第一挟持片１は主体部片１ａと該主体部片１ａの上端をほぼ直角に屈曲して連設した突き当て部片１ｂとで成るＬ形枠体で構成し、主体部片１ａのほぼ中央には前記ボルト４を貫通させる透孔６を設けると共に、主体部片１ａの下端部の前記突き当て部片１ｂ側の片面に前記支持線Ｃａの係合溝７を設け、この係合溝７の上方の、前記主体部片１ａの両側を三角形状に切欠して案内切欠８，８´を設け、また、前記突き当て部片１ｂの自由端側先端に方形状の係合切欠９を設けて構成したものである。
【００１１】
前記第二挟持片２は第一挟持片１の前記主体部片１ａとほぼ同大の方形板状の主体部片２ａの上端中央部に第一挟持片１の突き当て部片１ｂに設けた前記係合切欠９に係合する係合部片１０を設け、主体部片２ａの中央に第一挟持片１側の前記透孔６と対応させて前記ボルト４を貫通させる透孔１１を設け、また、主体部片２ａの下端部の片面に第一挟持片１側の前記係合溝７と相対して前記支持線Ｃａを係合する係合溝１２を設け、この係合溝１２を左右に分断するようにして主体部片２ａの下端中央には前記案内切欠８，８´と一致するようにして挿通切欠１３を設け、螺旋状ケーブルハンガーｈが案内切欠８，８´のいずれか一方を通じてこの挿通切欠１３を挿通するようにしたものである。
【００１２】
前記締付け片３は、上端両側に部片３ａ´，３ａ´を突設した、正面視ややＹ字形の主体部片３ａの下部を横方向の中央が裏面方向に最も突出する弯曲状と成し、該弯曲部３ａ´´の上下方向の中間部を表面方向に屈曲して横溝１４を設けると共に、前記部片３ａ´，３ａ´間の上端部の中央に折り曲げ上の規制部片１５を設け、下方に前記透孔６，１１と一致させる透孔１６を設けて構成したものである。
【００１３】
そして、第一、第二の挟持片１，２を相対させ、第二挟持片２の外側に締付け片３を重ね合わせ、これらに設けた透孔６，１１，１６に締付け片３側からボルト（Ｔ字ボルト）４を貫通させ、第一挟持片１の透孔６より突出するボルト４先端にナット５を螺合させて互いに組合わせ、この組合わせた状態で、挟持片１，２を、係合溝７，１２に支持線Ｃａを係合させるよううにして支持線Ｃａに組合わせ、かつ、支持線Ｃａに支持させた螺旋状ケーブルハンガーｈの端部を第一挟持片１に設けた案内切欠８，８´のいずれかの一方を通じて左右いずれかの端縁と交差させるようにして挿通切欠１３を挿通させて、締付け片３の横溝１４を係合させるようにして、締付け片３と第二挟持片２との間から外部に導出させて前記ナット５を締め付けると、挿通切欠１３の縁部と締付け片３とでケーブルハンガーｈは挟持され、また、ボルト４の頭部４ａは締付け片３に設けた規制部片１５に係止してナット５と共回りしないで締付け操作が確実に行われ、実施例の支持線固定金具Ａは、支持線Ｃａを第一、第二の挟持片１，２で挟持するようにして該支持線Ｃａに取付けられ、かつ、第二挟持片２（の挿通切欠１３の縁部）と締付け片３とで螺旋状ケーブルハンガーｈを挟持して該ハンガーｈを前記支持線Ｃａに固定させるのである。
【００１４】
なお、図示は、自己支持型（だるま型）ケーブルＣをケーブル部Ｃｂとで構成する支持線Ｃａ部にスパイラルハンガーｈを固定した使用例を示すが、専らケーブルを支持するための支持線（メッセンジャーワイヤー）に対するハンガーｈの固定に際しても、この固定金具Ａは適用できる。
【図面の簡単な説明】
【００１５】
【図１】各部材を組合わせた状態の斜視図。
【図２】使用状態を示す正面図。
【図３】図２の一部拡大図。
【図４】図２の平面図。
【図５】図４の一部拡大図。
【図６】図３の側面図。
【図７】他の螺旋状ケーブルハンガーに用いた状態の側面図。
【符号の説明】
【００１６】
１      第一挟持片
２      第二挟持片
３      締付け片
４      ボルト
５      ナット
１３    挿通切欠
Ｃａ    支持線
ｈ      螺線状ケーブルハンガー
【図１】
2010104197.tif 000003
【図２】
2010104197.tif 000004
【図３】
2010104197.tif 000005
【図４】
2010104197.tif 000006
【図５】
2010104197.tif 000007
【図６】
2010104197.tif 000008
【図７】
2010104197.tif 000009